(57)【要約】【課題】視認方向の違いによる指針と目盛との視差がなく、指針の指示位置を正確に視認できるアナログ式メーター装置を提供する。【解決手段】本発明のアナログ式メーター装置１１は、文字部１２ａが設けられた文字盤１２と、この文字盤１２を指示する指針１３とを有するものであって、文字盤１２を正面側から見た際に、指針１３の先端部Ｔが回動する際に掃引く領域の手前側に目盛としての複数の透光部１４ａと非透光部１４ｂとを交互に有する目盛部１４Ｂが設けられている。【選択図】図４
2009216661.tif 000002
【特許請求の範囲】
【請求項１】
文字が設けられた文字盤と、該文字盤を指示する指針とを有するアナログ式メーター装置であって、
前記文字盤を正面側から見た際に、前記指針の先端部が回動する際に掃引く領域の手前側に目盛としての複数の透光部と非透光部とを交互に有する目盛部が設けられていることを特徴とするアナログ式メーター装置。
【請求項２】
前記目盛部が前記指針の先端部に近接配置されていることを特徴とする請求項１に記載のアナログ式メーター装置。
【発明の詳細な説明】
【技術分野】
【０００１】
本発明は自動車用のアナログ式メーター装置に関する。
【背景技術】
【０００２】
従来から自動車用のアナログ式メーター装置が知られている。
【０００３】
図１の（ａ）において、符号１は従来例のスピードメーターとしてのアナログ式メーター装置、符号２は目盛２ａが設けられた文字盤、符号３は文字盤２を指示する指針である。
【０００４】
図１の（ｂ）に示すように、文字盤２の中央部には指針３用の穴２ｂが設けられており、穴２ｂの周囲には光を透過する透光部２ｃが形成されている。
【０００５】
指針３は透光性の指針部３Ａと、指針部３Ａの軸部側を覆うキャップ部３Ｂとによって構成されている。
【０００６】
指針部３Ａは、照射光を受光する受光部３Ａａと、受光部３Ａａから半径方向に伸びる発光指針部３Ａｂと、受光部３Ａａの背面側（文字盤２側）に形成された円柱状の軸部３Ａｃとによって構成されている。
【０００７】
受光部３Ａａには発光指針部３Ａｂが伸びる側の反対側に反射面３Ａｄが形成されており、軸部３Ａｃの中央部には穴３Ａｅが形成されている。
【０００８】
発光指針部３Ａｂの背面側には反射率の高い銀色または白色などの塗装が施された反射面３Ａｆが形成されており、発光指針部３Ａｂの正面側には粗面加工が施された発光面３Ａｇが形成されている。
【０００９】
文字盤２の背面側には、文字盤２に当接配置された導光部材４と、文字盤２に平行に対向配置された回路基板５が設けられている。
【００１０】
回路基板５には、指針３を駆動するムーブメント６と、目盛２ａや指針３を照明するための複数のＬＥＤ７とがそれぞれ対応する位置に取り付けられている。
【００１１】
回路基板５の正面側にはムーブメント６の回転軸６ａが突出しており、この回転軸６ａは、文字盤２の正面側から穴２ｂを貫通した指針３の軸部３Ａｃに嵌合している。
【００１２】
ＬＥＤ７により放射された光は、文字盤２の背面側に設けられた導光部材４によって導光されて、文字盤２に形成された透光部２ｃを背面側から照射し、透光部２ｃを透過した光は、指針部３Ａの受光部３Ａａに形成された反射面３Ａｄに照射され、反射面３Ａｄによって反射されて、発光指針部３Ａｂの反射面３Ａｆと発光面３Ａｇとの間で反射を繰り返しつつ発光指針部３Ａｂの伸びる方向に向けて導光される。
【００１３】
発光面３Ａｇには粗面加工が施されており、発光面３Ａｇを透過する光は拡散されるので、発光指針部３Ａｂに導光された光によって発光面３Ａｇ全体が発光する。
【００１４】
この他に、特許文献１には、透過照明しない昼間であっても視認性がよい透過照明型の目盛部を有するアナログ式メーター装置が記載されている。
【特許文献１】特開平８−２９２０７１号公報
【発明の開示】
【発明が解決しようとする課題】
【００１５】
ところで、本従来例のように、従来の一般的なアナログ式メーター装置では、乗員から見て、目盛が配置された文字盤より手前側に指針が設けられており、しかも指針先端部と文字盤との間にある程度の距離があるので、乗員の視認方向の違いによって視認される指針先端部と目盛との相対的位置に視差が生じるという問題があった。
【００１６】
このような指針先端部と目盛との間の距離は、設計変更によりある程度小さくすることはできるが、それでも、指針先端部の厚さなどの設計上の制約あるいは意匠上の制約などにより、ある程度離れ、視認される指針先端部と目盛との相対的位置に視差が生じるという問題があった。
【００１７】
特に、本従来例のアナログ式メーター装置１では、指針３が発光指針となっており、このような指針３では、乗員は発光している手前側の発光面３Ａｇを見ているので、指針３の先端部Ｔと目盛２ａとの視差を小さくするためには、先端部Ｔの発光面３Ａｇと目盛２ａを配置した文字盤２との距離ｈを小さくする必要がある。
【００１８】
しかしながら、アナログ式メーター装置１の指針３では、発光指針部３Ａｂを先端部Ｔまで均等の明るさで発光させるために先端部Ｔにある程度の厚さが必要となり、また、先端部Ｔへの光の導光性を確保するために、先端部形状についての設計自由度がある程度制限されるので、先端部Ｔの発光面３Ａｇと文字盤２との間の距離ｈを小さくするのは困難であった。
【００１９】
そこで、本発明では、視認方向の違いによる指針と目盛との視差がなく、指針の指示位置を正確に視認できるアナログ式メーター装置を提供することを目的にしている。
【課題を解決するための手段】
【００２０】
上記目的を達成するために請求項１に記載のものは、文字が設けられた文字盤と、該文字盤を指示する指針とを有するアナログ式メーター装置であって、
前記文字盤を正面側から見た際に、前記指針の先端部が回動する際に掃引く領域の手前側に目盛としての複数の透光部と非透光部とを交互に有する目盛部が設けられているアナログ式メーター装置を特徴としている。
【００２１】
そして、請求項２に記載の発明は、前記目盛部が前記指針の先端部に近接配置されている請求項１に記載のアナログ式メーター装置を特徴としている。
【発明の効果】
【００２２】
このように構成された本発明の請求項１のものでは、文字盤を正面側から見た際に、指針の先端部が回動する際に掃引く領域の手前側、すなわち指針の手前側に目盛部が設けられているので目盛部が読み易い。
【００２３】
そして、指針の先端部の厚さによらず、指針の先端部の手前側端面と目盛部に形成された目盛とを近づけることができるので、目盛の手前側に指針を有する従来例のアナログ式メーター装置に比べて指針の先端部と目盛部の目盛とを一層近づけることができる。
【００２４】
また、文字が設けられた文字盤と目盛部とが異なる階層に形成されているので、文字と目盛部の目盛とを正面視で近接配置しても、これらが互いに干渉することがない。
【００２５】
さらに、文字と目盛とは奥行きが異なり、視認上、これらは分離して見えるので、文字を正面視で目盛に接触して見える位置まで近づけることができ、文字盤の文字のレイアウト自由度が増大する。
【００２６】
しかも、文字が設けられた文字盤と目盛とが異なる階層に形成されているので、見る人に立体感を感じさせることができる。
【００２７】
そして、請求項２のものでは、目盛部が指針の先端部に近接配置されているので、視認角度の違いによる指針の先端部と目盛部に形成された目盛との視認される相対的位置に関する視差が小さくなり、指針の先端部が指示する目盛を正確に視認することができる。
【発明を実施するための最良の形態】
【００２８】
本発明に係る実施の形態の実施例に基づいて本発明を説明する。
【実施例１】
【００２９】
〈構成〉
図２において、符号１１は本実施例に係る自動車のタコメーターとしてのアナログ式メーター装置、符号１２は複数の文字部１２ａが配置された文字盤、符号１３は文字盤１２を指示する指針、符号１４は目盛を有する目盛部材、符号１５は目盛部材１４を保持する枠部材である。
【００３０】
本実施例に係る文字盤１２は円盤状の透明樹脂を基材としており、正面側に非透光性の印刷が施されている。
【００３１】
文字盤１２の表面には、光を遮光する非透光部が印刷部分として形成されており、光を透過する透光部が非印刷部分として形成されている。
【００３２】
文字盤１２には、回転数を示す数字などの複数の文字部１２ａが光を透過する透光部として形成されている。
【００３３】
図３に示すように、文字盤１２の中央部には指針１３用の穴１２ｂが設けられており、穴１２ｂの周囲には光を透過する透光部１２ｃが形成されている。
【００３４】
指針１３は透光性の指針部１３Ａと、指針部１３Ａの軸部側を覆うキャップ部１３Ｂとによって構成されている。
【００３５】
指針部１３Ａは、照射光を受光する受光部１３Ａａと、受光部１３Ａａから半径方向に伸びる発光指針部１３Ａｂと、受光部１３Ａａの背面側（文字盤１２側）に形成された円柱状の軸部１３Ａｃとによって構成されている。
【００３６】
受光部１３Ａａには発光指針部１３Ａｂが伸びる側の反対側に反射面１３Ａｄが形成されており、軸部１３Ａｃの中央部には穴１３Ａｅが形成されている。
【００３７】
発光指針部１３Ａｂの背面側には反射率の高い銀色または白色などの塗装が施された反射面１３Ａｆが形成されており、発光指針部１３Ａｂの正面側には粗面加工が施された発光面１３Ａｇが形成されている。
【００３８】
目盛部材１４は、透明樹脂を基材とし、略円筒状の支持部１４Ａと、支持部１４Ａの正面視手前側の端縁から縮径方向に延びる略リング状の目盛部１４Ｂとを有しており、支持部１４Ａの正面視奥側の端縁が文字盤１２に当接配置されている。
【００３９】
図２〜図４に示すように、目盛部１４Ｂには、透光部１４ａと非透光部１４ｂとが、目盛部１４Ｂの周方向に沿って交互にほぼ等間隔に複数形成されている。
【００４０】
本実施例では、非透光部１４ｂは目盛部１４Ｂの背面側に半径方向に延びる略方形形状の粗面部として形成されており、光を透過する透光部１４ａは非粗面部、すなわち基材の透明部分によって構成されており、これらの粗面部の半径方向の長さは長短を交互に繰り返して形成されている。
【００４１】
枠部材１５は、リング形状を呈しており、目盛部材１４の外周部に外側から嵌合して目盛部材１４を支持している。
【００４２】
文字盤１２の背面側には文字盤１２に平行に対向配置された回路基板１６が設けられており、回路基板１６には、指針１３を駆動するムーブメント１７と、指針１３を照明するための複数のＬＥＤ１８と、文字部１２ａを照明するための複数のＬＥＤ１９と、目盛部材１４を照明するための複数のＬＥＤ２０とが、それぞれ対応する位置に取り付けられている。
【００４３】
回路基板１６の正面側にはムーブメント１７の回転軸１７ａが突出しており、この回転軸１７ａは、文字盤１２の正面側から穴１２ｂを貫通した指針１３の軸部１３Ａｃに嵌合している。
【００４４】
ＬＥＤ１８により放射された光は、文字盤１２に形成された透光部１２ｃを背面側から照射し、透光部１２ｃを透過した光は、指針部１３Ａの受光部１３Ａａに形成された反射面１３Ａｄに照射され、反射面１３Ａｄによって反射されて、発光指針部１３Ａｂの反射面１３Ａｆと発光面１３Ａｇとの間で反射を繰り返しつつ発光指針部１３Ａｂの伸びる方向に向けて導光される。
【００４５】
発光面１３Ａｇは粗面加工が施されており、発光面１３Ａｇを透過する光は拡散されるので、発光指針部１３Ａｂに導光された光によって発光面１３Ａｇ全体が発光する。
【００４６】
ＬＥＤ１９により放射された光は各文字部１２ａをそれぞれ背面側から照明して発光させ、ＬＥＤ２０により放射された光は目盛部材１４をそれぞれ背面側から照射し、目盛部材１４に入射した光は、目盛部材１４の内部に導光されて、目盛部１４Ｂの粗面部、すなわち非透光部１４ｂを発光させる。
【００４７】
本実施例では、文字盤１２を正面側から見た際に、目盛部１４Ｂが指針１３の先端部Ｔが回動する際に掃引く領域の手前側に設けられており、しかも、目盛部１４Ｂは指針１３の先端部Ｔに近接配置されている。
【００４８】
特に、本実施例では、目盛部１４Ｂの背面側の粗面部形成面が、指針１３の先端部Ｔの上端面１３Ａｈに近接しており、その距離は指針部１３の先端部Ｔ自体の高さより小さくなっている。
【００４９】
本実施例に係る目盛部材１４は透明樹脂であるので、指針１３の先端部Ｔは常に正面側から視認可能となっている。
【００５０】
〈作用効果〉
本実施例のアナログ式メーター装置１１では、文字盤１２を正面側から見た際に、指針１３の先端部Ｔが回動する際に掃引く領域の手前側、すなわち指針１３の手前側に設けられているので目盛部１４Ｂが読み易い。
【００５１】
そして、本実施例のアナログ式メーター装置１１では、指針１３の先端部Ｔの厚さによらず、指針１３の先端部Ｔの手前側端面１３Ａｈと目盛部１４Ｂに形成された目盛とを近づけることができるので、目盛２ａの手前側に指針３を有する従来例のアナログ式メーター装置１に比べて指針１３の先端部Ｔと目盛部１４Ｂの目盛としての非透光部１４ｂとを一層近づけることができる。
【００５２】
また、本実施例のアナログ式メーター装置１１では、文字部１２ａが設けられた文字盤１２と目盛部１４Ｂとが異なる階層に形成されているので、文字部１２ａと目盛部１４Ｂとを正面視で近接配置しても、これらが互いに干渉することがない。
【００５３】
さらに、本実施例のアナログ式メーター装置１１では、文字部１２ａと目盛部１４Ｂとは奥行きが異なり、視認上、これらは分離して見えるので、文字部１２ａを正面視で目盛としての非透光部１４ｂに接触して見える位置まで近づけることができ、文字盤１２の文字のレイアウト自由度が増大する。
【００５４】
しかも、本実施例のアナログ式メーター装置１１では、文字部１２ａが設けられた文字盤１２と目盛部１４Ｂとが異なる階層に形成されているので、見る人に立体感を感じさせることができる。
【００５５】
そして、本実施例のアナログ式メーター装置１１では、目盛部１４Ｂは指針１３の先端部Ｔに近接配置されているので、視認角度の違いによる指針１３の先端部Ｔと目盛部１４Ｂに形成された目盛としての非透光部１４ｂとの視認される相対的位置に関する視差が小さくなり、指針１３の先端部Ｔが指示する目盛を正確に視認することができる。
【００５６】
〈実施例１の変形例〉
実施例１のアナログ式メーター装置１１の変形例について、実施例１とは異なる部分を中心に説明するものとし、実施例１と同一ないし均等な部分については説明を省略する。なお、図面については、実施例１と同一ないし均等な部分には、同一の符号を付すものとする。
【００５７】
図５に示すように、本変形例では、文字盤１２に、目盛部１４Ｂを背面側から照明するために光を透過する透光部１２ｄが形成されており、回路基板１６には、目盛部１４Ｂを照明するためのＬＥＤ２０が対応する位置に複数設けられている。
【００５８】
また、本変形例に係る非透光部１４ｂは目盛部１４Ｂの背面側に半径方向に延びる略方形形状のホットスタンプなどによる印刷部として形成されており、光を透過する透光部１４ａは非印刷部、すなわち基材の透明部分として形成されている。
【００５９】
本変形例のアナログ式メーター装置１１では、ＬＥＤ２０により放射される光は透光部１２ｄを透過して、目盛部１４Ｂを背面から照射するので、非透光部１４ｂとしての印刷部はシルエットとして表示される。
【実施例２】
【００６０】
実施例２のアナログ式メーター装置について、実施例１とは異なる部分を中心に説明するものとし、実施例１と同一ないし均等な部分については説明を省略する。なお、図面については、実施例１と同一ないし均等な部分には、同一の符号を付すものとする。
【００６１】
〈構成〉
図６〜図８に示すように、実施例２のアナログ式メーター装置２１では、実施例１のアナログ式メーター装置１１と目盛部材１４の構成が異なっている。
【００６２】
図６〜図８において、符号１４’は実施例２のアナログ式メーター装置２１に係る目盛部材である。
【００６３】
目盛部材１４’は不透明樹脂を基材とし、略円筒状の支持部１４Ａ’と、支持部１４Ａ’の手前側端縁から縮径方向に伸びる略リング状の目盛部１４Ｂ’とを有しており、支持部１４Ａ’の奥側端縁は、文字盤１２に当接配置されている。
【００６４】
図６〜図８に示すように、目盛部１４Ｂ’には、非透光部１４ａ’と透光部１４ｂ’とが、目盛部１４Ｂ’の周方向に沿って交互にほぼ等間隔に複数形成されている。
【００６５】
本実施例では、非透光部１４ａ’は目盛部１４Ｂ’の基材の不透明部分によって構成されており、透光部１４ｂ’は目盛部１４Ｂ’を半径方向に平面視略矩形形状に切り欠いた切欠部として形成されており、これらの切欠部の半径方向の長さは長短を交互に繰り返して形成されている。
【００６６】
なお、本実施例のアナログ式メーター装置２１には、実施例１に係る枠部材１５とＬＥＤ２０とは設けられていない。
【００６７】
〈作用効果〉
目盛部１４Ｂ’の切欠部の半径方向の長さは長短を交互に繰り返して形成されており、指針１３の先端部Ｔが、これらの切欠部の背面側を通過すると、図９の（ａ）〜（ｃ）に示すように、指針１３の長さが変化して見えるので、指針１３の指示位置を一層正確に視認できる。
【００６８】
なお、実施例１と共通の作用効果については説明を省略する。
【００６９】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【００７０】
なお、実施例１および実施例２では、指針１３として発光指針を用いたが、指針は必ずしも発光指針でなくてもよい。
【００７１】
また、実施例２において、目盛部材１４’は不透明樹脂を基材とし、目盛部１４Ｂ’を等間隔に切り欠くことによって非透光部１４ａ’と透光部１４ｂ’とを形成したが、必ずしも切り欠くことによって非透光部１４ａ’を形成するものでなくてもよい。
【００７２】
例えば、目盛部材１４’の基材を透明樹脂として、印刷部分により非透光部１４ａ’を形成し、非印刷部分により透光部１４ｂ’を形成してもよい。
【図面の簡単な説明】
【００７３】
【図１】従来例のアナログ式メーター装置を示す図であり、図（ａ）は斜視図、図（ｂ）は図（ａ）のＡ−Ａ断面の断面図である。
【図２】実施例１に係るアナログ式メーター装置の正面図である。
【図３】実施例１に係るアナログ式メーター装置の断面図であり、図２のＢ−Ｂ断面の断面図である。
【図４】実施例１に係るアナログ式メーター装置の部分破断斜視図である。
【図５】実施例１の変形例に係るアナログ式メーター装置の断面図であり、図２のＢ−Ｂ断面の断面図である。
【図６】実施例２に係るアナログ式メーター装置の正面図である。
【図７】実施例２に係るアナログ式メーター装置の断面図であり、図２のＣ−Ｃ断面の断面図である。
【図８】実施例２に係るアナログ式メーター装置の部分破断斜視図である。
【図９】実施例２に係るアナログ式メーター装置の正面図であり、図（ａ）〜図（ｃ）は指針の回動に伴い、指針の先端部が目盛部の背面側から見え隠れして、指針の長さが変化して見える様子を示している。
【符号の説明】
【００７４】
１１            アナログ式メーター装置
１２            文字盤
１２ａ          文字部（文字）
１３            指針
１４Ｂ，１４Ｂ’        目盛部
１４ａ，１４ｂ’        目盛としての透光部
１４ｂ，１４ａ’        目盛としての非透光部
Ｔ              先端部
【図１】
2009216661.tif 000003
【図２】
2009216661.tif 000004
【図３】
2009216661.tif 000005
【図４】
2009216661.tif 000006
【図５】
2009216661.tif 000007
【図６】
2009216661.tif 000008
【図７】
2009216661.tif 000009
【図８】
2009216661.tif 000010
【図９】
2009216661.tif 000011